(57)【特許請求の範囲】
【請求項１】
靴本体と、
前記靴本体の底面に着脱自在に取り付けられる靴底と、
前記靴本体と前記靴底との取り付け状態を固定する固定手段と、
を備え、
前記固定手段は、所定の遊度をもって前記靴本体側に設けられる第１の固定部と、前記靴底側に設けられ、前記第１の固定部と結合して、前記第１の固定部と共に前記靴底を前記靴本体に対して固定する第２の固定部とを有し、前記遊度によって前記第２の固定部に対する前記第１の固定部の結合位置を調整でき、
前記第１の固定部は、前記靴本体に設けられる第１の貫通孔と、この第１の貫通孔に径方向の遊度をもって挿通される第１の締結部材とを有し、前記第２の固定部は、前記靴底に設けられて前記第１の締結部材が挿通される第２の貫通孔と、前記第１の締結部材に結合されることにより前記第１の締結部材との間で前記靴底を挟持する第２の締結部材とを有し、前記径方向の遊度によって前記第１の締結部材の中心軸を前記第２の貫通孔の中心軸に位置合わせできることを特徴とする釣用靴。
【請求項２】
前記第１の締結部材は、前記靴本体に支持される支持部と、前記第１の貫通孔に径方向の遊度をもって挿通されるネジ付きの軸部とを有し、
前記第２の締結部材は、前記靴底に固定されて前記第２の貫通孔を横切る支持板と、この支持板を受けて前記軸部に螺合される螺合部材とから成る、
ことを特徴とする請求項１に記載の釣用靴。
【請求項３】
前記第１の締結部材の前記支持部を支持する前記靴本体の支持面を補強するための補強部材を更に備えることを特徴とする請求項２に記載の釣用靴。
【発明の詳細な説明】
【技術分野】
【０００１】
本発明は、主に魚釣りをする際に使用される釣用靴に関し、特に、靴本体の底面に滑り止め用の靴底が着脱自在に取り付けられて成る釣用靴に関する。
【背景技術】
【０００２】
従来、渓流釣りや磯釣り等に用いられる釣用靴は、滑り難い靴底構造を備えており、例えば、図７に示されるように、釣り人の足部を覆う靴本体１０２と、靴本体１０２の底面に対して着脱自在に取り付け固定される滑り止め効果を奏する靴底（フェルトソール）１０４とから構成され、靴底１０４が擦り減った場合には新しい靴底と交換できるようになっている。
【０００３】
靴本体１０２と靴底１０４との間の着脱構造は、一般に、例えばマジックテープ（登録商標）やベルクロ（登録商標）などの面ファスナから成る。図７の構成例では、靴本体１０２の底面１０２ａに面ファスナ１１０Ａが固着して設けられ、靴底１０４の表面（靴本体１０２の底面１０２ａと対向される面）に面ファスナ１１０Ａと着脱自在に密着接合される面ファスナ１１０Ｂが固着して設けられる。
【０００４】
また、靴底１０４が靴本体１０２に対して面ファスナ１１０Ａ，１１０Ｂにより着脱自在に取り付けられるこのような構造では、靴底１０４が靴本体１０２に対してずれたり脱落することがないように、例えば、面ファスナに加えて、ビスにより靴底１０４が靴本体１０２に対して締結固定される（例えば、特許文献１参照）。
【先行技術文献】
【特許文献】
【０００５】
【特許文献１】特開平９−１６８４０６号
【発明の概要】
【発明が解決しようとする課題】
【０００６】
前述した特許文献１に開示されるように、締結手段により面ファスナ１１０Ａ，１１０Ｂの取り付け状態を固定する構造では、１つの問題が生じる。すなわち、図７に示されるように、靴本体１０２の底面１０２ａに突設されたネジ付きのピン１１３とナット１１４とを締結手段として用いて、靴底１０４と靴本体１０２との面ファスナ１１０Ａ，１１０Ｂによる取り付け状態を固定する場合には、靴本体１０２側のピン１１３を、靴底１０４に対応して設けられた座ぐり穴１１５のピン貫通孔１１６に挿通して、靴底１０４の反対側から座ぐり穴１１５内に挿入されるナット１１４に螺合させる。このとき、ピン１１３とピン貫通孔１１６との位置合わせが精度良くなされなければならないが、一般に、ピン１１３を埋め込んで成形される靴本体１０２は合成ゴムやＰＶＣなどから成るため、成形に伴う収縮によりピン１１３の位置が靴底１０４のピン貫通孔１１６の位置と合わなくなる場合がある。
【０００７】
そのため、図８に示されるようにピン貫通孔１１６Ａの孔径を予め大きく形成しておき、それにより、靴本体１０２の成形収縮に伴うピン１１３の位置ずれを吸収できるようにする（大きな孔径の範囲内でピン１１３の位置ずれを許容する）ことも考えられる。しかしながら、その場合、図９に示されるように、位置ずれを起こしたピン１１３の軸心が大径孔としてのピン貫通孔１１６Ａの中心軸から偏心するため、この偏心したピン１１３にナット１１４を螺合させると、ナット１１４の中心軸も座ぐり穴１１５の中心軸からずれ、図９の（ｃ）および図１０に示されるようにナット１１４の全面を座ぐり穴１１５の底面１１５ａで完全に支持することができなくなる。そのため、締結力が不十分になる（したがって、靴本体１０２に対する靴底１０４の固定力が不十分になる）とともに、座ぐり穴１１５の底面１１５ａとナット１１４との間に隙間Ｐが生じる場合がある。また、このような隙間Ｐが生じると、この隙間Ｐを通じて砂や異物が靴本体１０２の底面１０２ａと靴底１０４との密着面間に入り込む可能性があり、その場合には、面ファスナ１１０Ａ，１１０Ｂのフックが潰れて密着力が低下してしまう。
【０００８】
本発明は、前記事情に着目してなされたものであり、その目的とするところは、靴底を靴本体に対して固定する固定部同士の位置ずれを補償でき、それにより、十分な固定力を確保できる釣用靴を提供することにある。
【課題を解決するための手段】
【０００９】
前記課題を解決するために、請求項１に記載の釣用靴は、靴本体と、前記靴本体の底面に着脱自在に取り付けられる靴底と、前記靴本体と前記靴底との取り付け状態を固定する固定手段とを備え、前記固定手段は、所定の遊度をもって前記靴本体側に設けられる第１の固定部と、前記靴底側に設けられ、前記第１の固定部と結合して、前記第１の固定部と共に前記靴底を前記靴本体に対して固定する第２の固定部とを有し、前記遊度によって前記第２の固定部に対する前記第１の固定部の結合位置を調整でき、前記第１の固定部は、前記靴本体に設けられる第１の貫通孔と、この第１の貫通孔に径方向の遊度をもって挿通される第１の締結部材とを有し、前記第２の固定部は、前記靴底に設けられて前記第１の締結部材が挿通される第２の貫通孔と、前記第１の締結部材に結合されることにより前記第１の締結部材との間で前記靴底を挟持する第２の締結部材とを有し、前記径方向の遊度によって前記第１の締結部材の中心軸を前記第２の貫通孔の中心軸に位置合わせできることを特徴とする。
【００１０】
この請求項１に記載の釣用靴によれば、靴本体と靴底との取り付け状態を固定する固定手段が、靴本体側および靴底側にそれぞれ設けられて互いに結合される第１の固定部と第２の固定部とを有し、第１の固定部に与えられる遊度により、第２の固定部に対する第１の固定部の結合位置を調整できるため、靴底を靴本体に対して取り付ける段階で第１の固定部と第２の固定部との間に位置ずれが生じる場合であっても、その位置ずれを前記遊度によって効果的に吸収できる。つまり、第１および第２の固定部を互いに適正な位置で結合でき、十分な固定力を生起できる。また、この請求項１に記載の釣用靴によれば、第１の固定部を構成する第１の締結部材が第１の貫通孔に径方向の遊度をもって挿通されているため、靴底を靴本体に対して取り付ける段階で第１の貫通孔と第２の貫通孔との間に位置ずれが生じる場合であっても、第１の締結部材を径方向に変位させて第１の締結部材の中心軸を第２の貫通孔の中心軸に位置合わせできる。そのため、第２の貫通孔の中心軸に対して偏心した位置で第１の締結部材と第２の締結部材とが結合されることを回避でき、その結果、十分な締結力（したがって、靴本体に対する靴底の十分な固定力）を確保できるとともに、靴本体と靴底との密着面間に通じる隙間を生じさせないで済む。これにより、固定手段の固定部から砂や異物が靴本体の底面と靴底との密着面間に入り込む可能性を排除できる。また、貫通孔間の位置ずれとは無関係に第１の締結部材の中心軸を第２の貫通孔の中心軸に位置合わせできるため、第２の貫通孔の孔径を予め大きく形成しておく必要もなく、このことも前記隙間の発生の回避に寄与し得る。なお、上記構成において、「遊度」とは、第２の固定部に対する第１の固定部の結合位置を調整するために第１の固定部を移動させることができる第１の固定部の動きの自由度のことである。
【００１３】
また、請求項２に記載の釣用靴は、請求項１に記載の釣用靴において、前記第１の締結部材は、前記靴本体に支持される支持部と、前記第１の貫通孔に径方向の遊度をもって挿通されるネジ付きの軸部とを有し、前記第２の締結部材は、前記靴底に固定されて前記第２の貫通孔を横切る支持板と、この支持板を受けて前記軸部に螺合される螺合部材とから成ることを特徴とする。
【００１４】
この請求項２に記載の釣用靴によれば、請求項１に記載の釣用靴と同様の作用効果が得られるとともに、締結部材同士の螺合により、安定した大きな締結力を得ることができる。また、螺合部材が第２の貫通孔を横切る支持板を受けて軸部に螺合されるため、螺合部材を第２の貫通孔から外部に突出させなくても支持板を介した広い面積で螺合部材により靴底を受けることができ、安定した十分な締結力（靴本体に対する靴底の十分な固定力）を得ることができる。
【００１５】
また、請求項３に記載の釣用靴は、請求項２に記載の釣用靴において、前記第１の締結部材の前記支持部を支持する前記靴本体の支持面を補強するための補強部材を更に備えることを特徴とする。
【００１６】
この請求項３に記載の釣用靴によれば、請求項２に記載の釣用靴と同様の作用効果が得られるとともに、補強部材により前記支持面を補強することにより、締結力によって支持面が変形するのを防止でき、締結力を安定して受けることができる支持構造を実現できる。                                                                  
【発明の効果】
【００１７】
本発明の釣用靴によれば、靴底を靴本体に対して固定する固定部同士の位置ずれを効果的に吸収でき、それにより、十分な固定力を確保できる。
【図面の簡単な説明】
【００１８】
【図１】（ａ）は本発明の第１の実施形態に係る釣用靴の側面図、（ｂ）は（ａ）の釣用靴の底面図である。
【図２】図１の釣用靴を底側から見た部分分解斜視図である。
【図３】図１の釣用靴における靴本体の底面と靴底との取り付け固定部の要部断面図である。
【図４】支持板の平面図である。
【図５】本発明の第２の実施形態に係る釣用靴における靴本体の底面と靴底との取り付け固定部の要部断面図である。
【図６】本発明の第３の実施形態に係る釣用靴における靴本体の底面と靴底との取り付け固定部の要部断面図である。
【図７】従来の釣用靴を底側から見た部分分解斜視図である。
【図８】他の従来例に係る釣用靴を底側から見た部分分解斜視図である。
【図９】図８の釣用靴の靴本体と靴底とを取り付ける取り付け固定部の要部を示し、（ａ）はピンをピン貫通孔に挿通する前の状態を示す斜視図、（ｂ）はピンをピン貫通孔に挿通した状態を示す斜視図、（ｃ）は（ｂ）の状態を靴底側から見た平面図である。
【図１０】図８の釣用靴における靴本体の底面と靴底との取り付け固定部の要部断面図である。
【発明を実施するための形態】
【００１９】
以下、本発明に係る釣用靴の一実施形態について具体的に説明する。  
図１〜図４は本発明の第１の実施形態を示している。図１および図２に示すように、本実施形態の釣用靴１は、長靴タイプ（ブーツタイプ）に適用されており、釣り人の足部を覆う靴本体２と、靴本体２の底面に対して着脱自在に取り付け固定される靴底４とを備えて構成される。靴本体２の底面と靴底４との間の着脱自在な取り付けは、特に限定されるものではないが、例えばマジックテープ（登録商標）やベルクロ（登録商標）などの面ファスナ１０Ａ，１０Ｂによって行なわれる。
【００２０】
靴本体２は、例えば、合成ゴム、ウレタン、ＥＶＡ等の合成樹脂で一体形成されており、底面を形成するミッドソール２ａを有する。ミッドソール２ａの表面（靴本体２の底面）には面ファスナ１０Ａが固着して設けられている。
【００２１】
図３に詳しく示されるように、替えソールとしての靴底４は、例えば、地面と接触されるフェルトから成る滑り止め層４ｂと、ミッドソール２ａに対向して靴本体２に取り付けられる例えばフェルトよりも硬質であってもよい（例えば、ミッドソール２ａの曲げ剛性と同等かそれ以下の合成ゴムから成る）固定層４ａとが少なくとも接着剤２０により一体化された積層構造を成し、固定層４ａの表面（ミッドソール２ａと対向される面）には、面ファスナ１０Ａと着脱自在に密着接合される面ファスナ１０Ｂが固着して設けられている。
【００２２】
また、本実施形態の釣用靴１は、面ファスナ１０Ａ，１０Ｂを介した靴本体２と靴底４との取り付け状態を固定する固定手段を更に有する。具体的に、この固定手段は、特に、足裏の母指球と小指球とを結ぶラインよりも指先側にある該靴１（靴底）の前端領域と、足裏の踵近傍の後端領域とに設けられており（図１の（ｂ）および図２参照）、図３に明確に示されるように、所定の遊度Ｓをもって靴本体２側に設けられる第１の固定部５０と、靴底４側に設けられ、第１の固定部５０と結合して、第１の固定部５０と共に靴底４を靴本体２に対して固定する第２の固定部５２とを有し、前記遊度Ｓによって第２の固定部５２に対する第１の固定部５０の結合位置を調整できるようになっている。
【００２３】
より具体的には、第１の固定部５０は、靴本体２の底面を形成するミッドソール２ａに設けられる第１の貫通孔２３と、この第１の貫通孔２３に径方向の遊度Ｓをもって挿通される第１の締結部材１３とを有し、また、第２の固定部５２は、靴底４（固定層４ａおよび滑り止め層４ｂ）に設けられて第１の締結部材１３が挿通される第２の貫通孔１６と、第１の締結部材１３に結合されることにより第１の締結部材１３との間で靴底４を挟持する第２の締結部材１８とを有しており、前記径方向の遊度Ｓによって第１の締結部材１３の中心軸Ｏ１を第２の貫通孔１６の中心軸Ｏ２に位置合わせできる（第２の固定部５２に対する第１の固定部５０の結合位置を調整できる）ようになっている。
【００２４】
ここで、第１の締結部材１３は、図３に明確に示されるように、靴本体２に支持される支持部としての四角状の頭部１３ａと、該頭部１３ａの略中央部分から延び且つ雌ネジ１９を内周面に有する円筒状の軸部１３ｂとから成り、例えばステンレスなどの金属、強度の高いプラスチック等によって形成される。この場合、第１の締結部材１３の頭部１３ａは、靴本体２に所定の遊度Ｓ，Ｓ´（横と縦の遊度Ｓ，Ｓ´）をもって支持される。具体的には、第１の貫通孔２３を有する靴本体２（ミッドソール２ａ）の四角穴（凹溝）２９の内周壁面と頭部１３ａの外周壁面との間に横方向、縦方向の各々にわたって隙間（遊度）Ｓ，Ｓ´が設けられた状態で、頭部１３ａが四角穴２９の底面（支持面）３０で支持される。また、第１の締結部材１３の軸部１３ｂは、第１の貫通孔２３に径方向の遊度Ｓをもって挿通される。具体的には、軸部１３ｂの外周面と第１の貫通孔２３の内周面との間に全周にわたって径方向の隙間（遊度）Ｓが設けられる。
【００２５】
また、第２の締結部材１８は、靴底２に固定されて第２の貫通孔１６を横切る支持板２２と、支持板２２を受けて第１の締結部材１３の軸部１３ｂに螺合される螺合部材としての固定ボルト１４とから成る。
【００２６】
固定用ボルト１４は、支持板２２を受けるとともに、支持板２２と協働して靴底４（図では、固定層４ａ）をミッドソール２ａとの間で挟持するための頭部１４ａと、頭部１４ａの略中央部分から延び且つ雄ネジ１７を外周面に有する軸部１４ｂとを有しており、例えばステンレスなどの金属、強度の高いプラスチック等によって形成される。そして、このような固定用ボルト１４は、その軸部１４ｂが支持板２２の後述する中心孔２２ｃを通じて第１の締結部材１３の雌ネジ１９に所定の深さまで螺合されることにより、頭部１４ａが支持板２２を第１の締結部材１３の軸部１３ｂとの間で挟持する（支持板２２を支持する）ようになっている。
【００２７】
一方、支持板２２は、例えばステンレスなどの金属、強度の高いプラスチック等によって形成されており、靴底４を形成する際にその構成材料中（図３では、接着剤２０が介在する固定層４ａと滑り止め層４ｂとの間）に埋設されて靴底４と接着又はインサート成形等の手段を用いて一体化される。また、図４に明確に示されるように、支持板２２は、固定ボルト１４の軸部１４ｂが挿通される中心孔２２ｃ（第２の貫通孔１６の中心軸Ｏ２と略同心）を有しており、中心孔２２ｃの周囲の下面には、固定用ボルト１４の頭部１４ａが押し付けられる圧接部位（環状面）に、第１の締結部材１３と固定ボルト１４との間のネジの緩みを防止する凸部（緩み止め）２２ｂが設けられている。図４では、径方向に延びる１２個の凸部２２ｂが周方向に等しい角度間隔を隔てて設けられている。また、支持板２２は、靴底４に一体化する接着剤が入り込める複数（図では４つ）の凹部（貫通孔）２２ａをその外周に沿って有する。
【００２８】
上記構成において、靴底４を靴本体２に取り付ける場合には、靴底４とミッドソール２ａとをその輪郭形状が合うように向き合わせ、面ファスナ１０Ａ，１０Ｂ同士の結合によって靴底４をミッドソール２ａに対して取り付ける。その後、この取り付け状態を固定するために、第１の固定部５０と第２の固定部５２とを結合する。具体的には、第１の締結部材１３をミッドソール２ａの四角穴２９に取り付け、ミッドソール２ａの第１の貫通孔２３を通じて突出する第１の締結部材１３の軸部１３ｂを靴底４側の第２の貫通孔１６に嵌め入れる。このとき、第１の締結部材１３の軸部１３ｂの中心軸Ｏ１を、第２の貫通孔１６を横切る支持板２２の中心孔２２ｃの中心軸（したがって、第２の貫通孔１６の中心軸Ｏ２）に位置合わせする。第１の貫通孔２３と第２の貫通孔１６との間に位置ずれが生じている場合には、前記遊度Ｓ，Ｓ´を利用して第１の締結部材１３を横及び縦方向に変位させて、第１の締結部材１３の軸部１３ｂの中心軸Ｏ１を支持板２２の中心孔２２ｃの中心軸（したがって、第２の貫通孔１６の中心軸Ｏ２）に位置合わせする。その位置合わせ状態で、今度は、反対側から第２の貫通孔１６内に固定用ボルト１４を挿入し、固定用ボルト１４の軸部１４ｂを支持板２２の中心孔２２ｃを通じて第１の締結部材１３の雌ネジ１９に所定の深さまで螺合する。これにより、第１の締結部材１３の頭部１３ａが四角穴２９の底面（支持面）３０に圧接されて支持されるとともに、固定用ボルト１４の頭部１４ａが支持板２２に押し付けられ、支持板２２が頭部１４ａと第１の締結部材１３の軸部１３ｂとの間で挟持される。つまり、固定用ボルト１４は、支持板２２を受けるとともに、支持板２２と協働して靴底４（図では、固定層４ａ）をミッドソール２ａとの間で挟持する。したがって、靴底４がミッドソール２ａに対して強固に固定される。
【００２９】
以上説明したように、本実施形態の釣用靴１によれば、靴本体２と靴底４との取り付け状態を固定する固定手段が、靴本体２側および靴底４側にそれぞれ設けられて互いに結合される第１の固定部５０と第２の固定部５２とを有し、第１の固定部５０に与えられる遊度Ｓにより、第２の固定部５２に対する第１の固定部５０の結合位置を調整できるため、靴底４を靴本体２に対して取り付ける段階で第１の固定部５０と第２の固定部５２との間に位置ずれが生じる場合であっても、その位置ずれを前記遊度Ｓによって効果的に吸収できる。つまり、第１および第２の固定部５０，５２を互いに適正な位置で結合でき、十分な固定力を生起できる。
【００３０】
特に、本実施形態では、第１の固定部５０を構成する第１の締結部材１３が第１の貫通孔２３に径方向の遊度Ｓをもって挿通されているため、靴底４を靴本体２に対して取り付ける段階で第１の貫通孔２３と第２の貫通孔１６との間に位置ずれが生じる場合であっても、第１の締結部材１３を横及び縦方向に変位させて第１の締結部材１３の中心軸Ｏ１を第２の貫通孔１６の中心軸Ｏ２に位置合わせできる。そのため、第２の貫通孔１６の中心軸Ｏ２に対して偏心した位置で第１の締結部材１３と第２の締結部材１８（１４，２２）とが結合されることを回避でき、その結果、十分な締結力（したがって、靴本体２に対する靴底２の十分な固定力）を確保できるとともに、靴本体２と靴底４との密着面間に通じる隙間を生じさせないで済む。これにより、固定手段の固定部から砂や異物が靴本体２の底面と靴底４との密着面間に入り込む可能性を排除できる。また、貫通孔１６，２３間の位置ずれとは無関係に第１の締結部材１３の中心軸Ｏ１を第２の貫通孔１６の中心軸Ｏ２に位置合わせできるため、第２の貫通孔１６の孔径を予め大きく形成しておく必要もなく、このことも前記隙間の発生の回避に寄与し得る。すなわち、第２の貫通孔１６の孔径を予め大きく形成したことに伴って生じる隙間から砂や異物が靴本体の底面と靴底との密着面間に入り込む可能性を排除できる。このことから分かるように、本実施形態を含む本発明では、異物の浸入経路となる靴底側ではなく、靴本体側に遊度をもって第１の固定部５０を設けることが重要である。
【００３１】
本実施形態によれば、螺合部材としての固定用ボルト１４が第２の貫通孔１６を横切る支持板２２を受けて第１の締結部材１３の軸部１３ｂに螺合されるため、固定用ボルト１４を第２の貫通孔１６から外部に突出させなくても支持板２２を介した広い面積で固定用ボルト１４により靴底４を受けることができ、安定した十分な締結力（靴本体２に対する靴底４の十分な固定力）を得ることができる。
【００３２】
図５は本発明の第２の実施形態を示している。図示のように、本実施形態では、第１の締結部材１３の軸部１３ｂが雌ネジ１９ではなく雄ネジ１９ａを有している。すなわち、軸部１３ｂの外周面にネジが形成されている。また、これに対応して、軸部１３ｂに螺合されるべき第２の締結部材１８の螺合部材１４がナット１４Ａとして形成されている。したがって、この構成では、支持板２２の中心孔２２ｃを貫通する第１の締結部材１３の軸部１３ｂの雄ネジ１９ａにナット１４Ａの中心孔の内周面に形成される雌ネジ７２が螺合される（図中、二点鎖線参照）。なお、それ以外の構成は第１の実施形態と同一であり、したがって、第１の実施形態と同様の作用効果を得ることができる。
【００３３】
図６は本発明の第３の実施形態を示している。図示のように、本実施形態では、第１の締結部材１３の支持部としての頭部１３ａを支持する靴本体２の支持面３０（四角穴２９の底面）にこれを補強するための補強部材９０が設けられている。この補強部材９０は、ミッドソール２ａにインサート成形又は組み込み等の適宜方法で固定され、第１の締結部材１３の軸部１３ｂが貫通できる中心孔９０ａを有する。この中心孔９０ａは、軸部１３ｂの外周面との間に隙間Ｓを形成し、前述した軸部１３ｂの径方向遊度をもたらす。なお、それ以外の構成は第１の実施形態と同一である。
【００３４】
このように、補強部材９０により支持面３０を補強すれば、締結力（締結部材に加わる外力）によって支持面３０が変形するのを防止でき、締結力を安定して受けることができる支持構造を実現できる。
【００３５】
以上、本発明の実施形態について説明したが、本発明は、前述した実施形態に限定されず、その要旨を逸脱しない範囲で種々変形して実施できる。例えば、前述した実施形態では、釣用靴として、ブーツタイプを例示したが、短靴タイプ（運動靴タイプ）に適用しても良い。すなわち、靴本体１の形状、素材については、適宜変形することが可能である。また、固定手段の構造や固定形態も前述した実施形態に限定されず任意である。要は、第１の固定部が遊度をもって設けられ、第２の固定部に対する第１の固定部の結合位置を変動できさえすればよい。また、固定手段の配置位置は、靴の前端領域および後端領域に限らず、また、固定手段の数も任意である。また、靴本体２と靴底４とを着脱自在に取り付ける構造は面ファスナに限らず、任意の着脱構造を採用できる。
【符号の説明】
【００３６】
１  釣用靴
２  靴本体
４  靴底
１３  第１の締結部材
１３ａ  頭部（支持部）
１３ｂ  軸部
１４  固定用ボルト（螺合部材）
１８  第２の締結部材
１６  第２の貫通孔
２２  支持板
２３  第１の貫通孔
５０  第１の固定部
５２  第２の固定部
９０  補強部材
【図１】
0005406891.tif 000002
【図２】
0005406891.tif 000003
【図３】
0005406891.tif 000004
【図４】
0005406891.tif 000005
【図５】
0005406891.tif 000006
【図６】
0005406891.tif 000007
【図７】
0005406891.tif 000008
【図８】
0005406891.tif 000009
【図９】
0005406891.tif 000010
【図１０】
0005406891.tif 000011